(57)【要約】【課題】例えば回折レンズに代表されるような光学素子の成形用金型の加工に好適であり、高精度な加工面を形成できる加工方法を提供する。【解決手段】ダイヤモンド工具Ｔは、第１の縁部Ｔ１が１００μｍ以下と小さいため、第２の縁部Ｔ２又は第３の縁部Ｔ３側より大きな抵抗を受けたとき、刃先がたわみやすいという特性を有する。加工中に刃先がたわむと、高精度な加工を行えない恐れがあるが、そのような問題に対し、本発明の加工方法によれば、ダイヤモンド工具Ｔを回転軸すなわち光軸Ｏに対して交差する方向に移動させるときは、金型Ｍの光学転写面の仕上がり時における光軸方向切り込み量が大きい方から小さい方に向かって移動させている。即ち、最も切り込み量が深い部位（図２における基準位置）を最初に切削加工するので、かかる場合、常に第２の縁部Ｔ２及び第３の縁部Ｔ３から等しい抵抗を受けることで、ダイヤモンド工具Ｔの撓みを抑制することができ、それにより高精度な加工を実現できる。【選択図】図２
2010188525.tif 000002
【特許請求の範囲】
【請求項１】
ダイヤモンドからなる切れ刃のすくい面に、ワークの回転軸に対して交差する方向に少なくとも１００μｍ以内の長さで直線状に延在する直線部を含む第１の縁部と、前記第１の縁部より長く且つ前記第１の縁部の端部に接続する直線状の第２の縁部及び第３の縁部とを形成したダイヤモンド工具を用いて、ワークを加工する加工方法であって、
前記ワークを回転させるステップと、
回転する前記ワークに対して前記第１の縁部を接触させながら、前記ダイヤモンド工具を前記回転軸に対して交差する方向及び前記回転軸に平行な方向に移動させるステップと、を有することを特徴とする加工方法。
【請求項２】
ダイヤモンドからなる切れ刃のすくい面に、金型の回転軸に対して交差する方向に少なくとも１００μｍ以内の長さで直線状に延在する直線部を含む第１の縁部と、前記第１の縁部より長く且つ前記第１の縁部の端部に接続する直線状の第２の縁部及び第３の縁部とを形成したダイヤモンド工具を用いて、少なくとも一方の光学機能面が光軸を中心とした複数の光学機能領域に分割され、該複数の光学機能領域のうちの少なくとも１つが、光軸を中心とした輪帯状の領域に分割され、かつ各輪帯に所定数の不連続な段差が設けられるとともに、当該不連続な段差が設けられた輪帯が連続的に配された構造である回折構造を有する光学素子を成形するための金型の光学転写面を加工する加工方法であって、
前記金型を回転させるステップと、
回転する前記金型の光学転写面に対して前記第１の縁部を接触させながら、前記ダイヤモンド工具を前記回転軸に近接する方向及び前記回転軸に平行な方向に移動させるステップと、を有することを特徴とする加工方法。
【請求項３】
前記ダイヤモンド工具を、前記金型の光学転写面を切り込む切り込み方向に第１の量だけ移動した後に、前記切り込み方向と逆の方向に前記第１の量より小さい第２の量だけ移動し且つ前記回転軸に近接する方向に移動するステップを複数回行うことを特徴とする請求項２に記載の加工方法。
【請求項４】
前記ダイヤモンド工具の第１の縁部の長さは、前記光学素子の前記段部の光軸直交方向の最小幅より小さいことを特徴とする請求項２に記載の加工方法。
【請求項５】
前記ダイヤモンド工具を、前記金型の光学転写面を切り込む切り込み方向に第１の量だけ移動した後に、前記回転軸に近接する方向に移動し且つ前記切り込み方向と逆の方向に前記第１の量より小さい第２の量だけ移動するステップを複数回行うことを特徴とする請求項４に記載の加工方法。
【請求項６】
前記ダイヤモンド工具のすくい面の形状は、最大切り込み時において前記金型に接触している任意の点から、前記第１の縁部に平行な線を引いたとき、前記すくい面に重合する前記線の長さより、前記第１の縁部の長さの方が長いことを特徴とする請求項２に記載の加工方法。
【請求項７】
前記ダイヤモンド工具のすくい面の形状は、先太形状であることを特徴とする請求項６に記載の加工方法。
【請求項８】
ダイヤモンドからなる切れ刃のすくい面に、互いに交差する方向に延在する第１の縁部と第２の縁部とを形成したダイヤモンド工具を用いて、少なくとも一方の光学機能面が光軸を中心とした複数の光学機能領域に分割され、該複数の光学機能領域のうちの少なくとも１つが、光軸を中心とした輪帯状の領域に分割され、かつ各輪帯に所定数の不連続な段差が設けられるとともに、当該不連続な段差が設けられた輪帯が連続的に配された構造である回折構造を有する光学素子を成形するための金型の光学転写面を加工する加工方法であって、
前記金型を回転させるステップと、
回転する前記金型の光学転写面に対して前記第１の縁部及び／又は前記第２の縁部を接触させながら、前記ダイヤモンド工具を前記金型の回転軸に平行な方向に移動させるステップと、
前記ダイヤモンド工具のすくい面に直交する軸回りに、前記ダイヤモンド工具を回動させるステップと、を有することを特徴とする加工方法。
【請求項９】
前記金型の光学転写面における前記光学素子の段差に対応する部位において、光軸を向いた内周面は前記第１の縁部によって加工され、前記内周面に対向する外周面は前記第２の縁部によって加工されることを特徴とする請求項８に記載の加工方法。
【請求項１０】
前記ダイヤモンド工具の回動中心を、前記第１の縁部と前記第２の縁部との交点と一致させることを特徴とする請求項８又は９に記載の加工方法。
【請求項１１】
前記ダイヤモンド工具を、その回動量に応じて、前記金型の回転軸に平行な方向に移動することを特徴とする請求項８又は９に記載の加工方法。
【請求項１２】
ダイヤモンドからなる切れ刃を有する第１のダイヤモンド工具と第２のダイヤモンド工具とを用いて、少なくとも一方の光学機能面が光軸を中心とした複数の光学機能領域に分割され、該複数の光学機能領域のうちの少なくとも１つが、光軸を中心とした輪帯状の領域に分割され、かつ各輪帯に所定数の不連続な段差が設けられるとともに、当該不連続な段差が設けられた輪帯が連続的に配された構造である回折構造を有する光学素子を成形するための金型の光学転写面を加工する加工方法であって、
前記金型を回転させるステップと、
回転する前記金型の光学転写面に対して切れ刃を接触させながら、前記ダイヤモンド工具を前記金型の回転軸に平行な方向に移動させるステップと、を有し、
前記金型の光学転写面における前記光学素子の段差に対応する部位において、光軸を向いた内周面は前記第１のダイヤモンド工具によって形成され、前記内周面に対向する外周面は前記第２のダイヤモンド工具によって形成されることを特徴とする加工方法。
【請求項１３】
前記第１又は前記第２のダイヤモンド工具を、前記金型の光学転写面を切り込む切り込み方向に移動する前又は移動した後に、前記回転軸に交差する方向に移動する方向に移動するステップを有することを特徴とする請求項１２に記載の加工方法。
【請求項１４】
ダイヤモンドからなる切れ刃のすくい面に縁部を形成したダイヤモンド工具を用いて、ワークを加工する加工方法であって、
前記金型を回転させるステップと、
回転する前記金型の光学転写面に対して前記縁部を接触させながら、前記ダイヤモンド工具を前記金型の回転軸に平行な方向に移動させるステップと、
前記ダイヤモンド工具を、第１の姿勢と、前記第１の姿勢とは異なる第２の姿勢のいずれかに設定するステップと、を有し、
前記第１の姿勢に維持された前記ダイヤモンド工具の縁部によって加工する際の前記金型の回転方向は、前記第２の姿勢に維持された前記ダイヤモンド工具の縁部によって加工する際の前記金型の回転方向と逆であることを特徴とする加工方法。
【請求項１５】
ダイヤモンドからなる切れ刃のすくい面に縁部を形成した第１のダイヤモンド工具と第２のダイヤモンド工具とを用いて、ワークを加工する加工方法であって、
前記金型を回転させるステップと、
回転する前記金型の光学転写面に対して前記縁部を接触させながら、前記ダイヤモンド工具を前記金型の回転軸に平行な方向に移動させるステップと、を有し、
前記第１のダイヤモンド工具の縁部によって加工する際の前記金型の回転方向は、前記第２のダイヤモンド工具の縁部によって加工する際の前記金型の回転方向と逆であることを特徴とする加工方法。
【請求項１６】
ダイヤモンドからなる切れ刃のすくい面に縁部を形成したダイヤモンド工具を用いて、少なくとも一方の光学機能面が光軸を中心とした複数の光学機能領域に分割され、該複数の光学機能領域のうちの少なくとも１つが、光軸を中心とした輪帯状の領域に分割され、かつ各輪帯に所定数の不連続な段差が設けられるとともに、当該不連続な段差が設けられた輪帯が連続的に配された構造である回折構造を有する光学素子を成形するための金型の光学転写面を加工する加工方法であって、
前記金型を回転させるステップと、
回転する前記金型の光学転写面に対して前記縁部を接触させながら、前記ダイヤモンド工具を前記金型の回転軸に平行な方向に移動させるステップと、
前記ダイヤモンド工具を、第１の姿勢と、前記第１の姿勢とは異なる第２の姿勢のいずれかに設定するステップと、を有し、
前記金型の光学転写面における前記光学素子の段差に対応する部位において、光軸を向いた内周面は、前記第１の姿勢に維持された前記ダイヤモンド工具の縁部によって加工され、前記内周面に対向する外周面は、前記第２の姿勢に維持された前記ダイヤモンド工具の縁部によって加工されることを特徴とする加工方法。
【請求項１７】
前記第１の姿勢に維持された前記ダイヤモンド工具の縁部によって加工する際の前記金型の回転方向は、前記第２の姿勢に維持された前記ダイヤモンド工具の縁部によって加工する際の前記金型の回転方向と逆であることを特徴とする請求項１６に記載の加工方法。
【請求項１８】
前記ワークの加工面もしくは前記金型の光学転写面にニッケル・隣・銅メッキを施していることを特徴とする請求項１乃至１７のいずれかに記載の加工方法。
【発明の詳細な説明】
【技術分野】
【０００１】
本発明は、加工方法に関し、特に光学素子の成形用金型を加工するのに好適な加工方法に関する。
【背景技術】
【０００２】
従来より、例えば光ピックアップ装置用の対物レンズなどの高精度光学素子の成形用金型の光学転写面加工には、すくい面のノーズ半径が０．１〜１．５ｍｍ程度、頂角が４０〜６０°程度の単結晶ダイヤモンド製のＲバイトが使用されており、それにより光学転写面形状が例えば一般非球面方程式で表現される単一面で構成される場合には、超精密加工機を使用することにより切削加工のみで高精度な光学転写面を得ることが可能である。一方、より微細な形状構造を有する光学転写面を創成加工する際には、特許文献１に記載するように、さらに微細なノーズ半径を有するＲバイトが使用されている。
【先行技術文献】
【特許文献】
【０００３】
【特許文献１】特開２００３−６２７０７号公報
【発明の概要】
【発明が解決しようとする課題】
【０００４】
特許文献１に記載する微細なノーズ半径を有するＲバイトを用いることで、より精密な光学転写面の創成が可能となった。ところで、近年における光ピックアップ装置の分野では、青紫色レーザなどを用いてより高密度な情報の記録及び／又は再生を行うことが望まれており、これに対して、光ピックアップ装置に用いる光学素子に、少なくとも一方の光学機能面が光軸を中心とした複数の光学機能領域に分割され、該複数の光学機能領域のうちの少なくとも１つが、光軸を中心とした輪帯状の領域に分割され、かつ各輪帯に所定数の不連続な段差が設けられるとともに、当該不連続な段差が設けられた輪帯が連続的に配された回折構造を設けようとする試みがある。しかるに、このような段差のある微細な回折構造を光学素子に形成するためには、その金型の光学面を、１００μｍ以下の幅で輪帯状に深く切削する必要がある。ところが、上述したＲバイトでは、縁部が干渉してしまい、そのように狭い幅で輪帯形状を切削することはできない。
【０００５】
本発明は、かかる問題に鑑みてなされたものであり、例えば回折レンズに代表されるような光学素子の成形用金型の加工に好適であり、高精度な加工面を形成できる加工方法を提供することを目的とする。
【課題を解決するための手段】
【０００６】
請求項１に記載の加工方法は、ダイヤモンドからなる切れ刃のすくい面に、ワークの回転軸に対して交差する方向に少なくとも１００μｍ以内の長さで直線状に延在する直線部を含む第１の縁部と、前記第１の縁部より長く且つ前記第１の縁部の端部に接続する直線状の第２の縁部及び第３の縁部とを形成したダイヤモンド工具を用いて、ワークを加工する加工方法であって、前記ワークを回転させるステップと、回転する前記ワークに対して前記第１の縁部を接触させながら、前記ダイヤモンド工具を前記回転軸に対して交差する方向及び前記回転軸に平行な方向に移動させるステップと、を有することを特徴とするので、前記金型の光学転写面を、前記第１の縁部により切削することで底面が精度よく且つ効率よく形成され、前記第２又は第３の縁部により切削することで、前記底面と交差する周面が精度よく且つ効率よく形成されることとなる。尚、「ワーク」とは、例えば光学素子成形用金型のようなものをいうが、それに限られることはない。又、「直線部を含む第１の縁部」とは、直線部のみから第１の縁部を構成してもよく、或いは直線部と、その一方の端部もしくは両端に連結した別の直線部もしくは円弧とで、第１の縁部を構成しても良いことを意味する。
【０００７】
請求項２に記載の加工方法は、ダイヤモンドからなる切れ刃のすくい面に、金型の回転軸に対して交差する方向に少なくとも１００μｍ以内の長さで直線状に延在する直線部を含む第１の縁部と、前記第１の縁部より長く且つ前記第１の縁部の端部に接続する直線状の第２の縁部及び第３の縁部とを形成したダイヤモンド工具を用いて、少なくとも一方の光学機能面が光軸を中心とした複数の光学機能領域に分割され、該複数の光学機能領域のうちの少なくとも１つが、光軸を中心とした輪帯状の領域に分割され、かつ各輪帯に所定数の不連続な段差が設けられるとともに、当該不連続な段差が設けられた輪帯が連続的に配された構造である回折構造を有する光学素子を成形するための金型の光学転写面を加工する加工方法であって、
前記金型を回転させるステップと、回転する前記金型の光学転写面に対して前記第１の縁部を接触させながら、前記ダイヤモンド工具を前記回転軸に近接する方向及び前記回転軸に平行な方向に移動させる（移動の順序は逆でも良い、以下同じ）ステップと、を有することを特徴とする。
【０００８】
本発明について、図面を参照して説明する。図１は、本発明にかかる加工方法に用いると好適なダイヤモンド工具Ｔの先端のすくい面側から見た図（ａ）及びその側面図（ｂ）である。図１（ａ）において、ダイヤモンド工具Ｔは、直線状に延在する先端の第１の縁部Ｔ１（１００μｍ以下）と、第１の縁部Ｔ１の両端から直交する方向に直線状に延在する第２の縁部Ｔ２と第３の縁部Ｔ３とを有し、これらによって方形状のすくい面Ｔ５を形成している。第２の縁部Ｔ２は、第３の縁部Ｔ３から離隔するように延在する第４の縁部Ｔ４に接続されている。ここで方形とは、互いに平行に延在する縁部Ｔ２，Ｔ３のうち短い方の第２の縁部Ｔ２における第４の縁部Ｔ４側の端部（先端から距離βの位置）から、第１の縁部Ｔ１に平行な線Ｔ６を引くことで、縁部Ｔ１，Ｔ２、Ｔ３，線Ｔ６で囲われる領域をいうものとする。尚、本明細書中、縁部同士が接続するとは、縁部同士が直接接続している場合のほか、他の単一もしくは複数の直線及び／又は円弧を介して間接的に接続している場合も含む。
【０００９】
図２は、図１のダイヤモンド工具を用いて加工された後の金型Ｍの斜視図（ａ）及びその光学転写面の概略拡大断面図（ｂ）である。本発明の加工方法によって加工される金型Ｍは、少なくとも一方の光学機能面が光軸を中心とした複数の光学機能領域に分割され、該複数の光学機能領域のうちの少なくとも１つが、光軸を中心とした輪帯状の領域に分割され、かつ各輪帯に所定数の不連続な段差が設けられるとともに、当該不連続な段差が設けられた輪帯が連続的に配された構造である回折構造を有する光学素子成形に用いられると好適である。かかる回折構造は、断面が階段状になっており、それに相補する形で、図２に示すような金型Ｍの光学転写面（光学素子の光学面を転写する面をいうが、ニッケル・隣・銅メッキが施されていると好ましい）が形成されることとなる。尚、ダイヤモンド工具Ｔは、図２でＸ軸方向（回転軸に近づく方向ともいう）及びＺ軸方向（金型の回転軸と平行な方向ともいう）に移動可能となっている。
【００１０】
本発明の加工方法の一例を示すと、図２（ｂ）に示すように、まず金型Ｍを光軸（回転軸ともいう）Ｏの回りに回転させ、ダイヤモンド工具Ｔの第１の縁部Ｔ１を、金型Ｍの光学転写面（ここでは上面）に対して押し当てながら外周から光軸Ｏに近づくように（Ｘ軸方向に）移動させ、基準位置（点線の位置）で、光軸Ｏに対して平行に且つ金型Ｍに更に押しつける方向（Ｚ軸方向）に移動させる。すると、ダイヤモンド工具Ｔが金型Ｍの光学転写面を切削加工し、輪帯状の溝が形成されるが、溝の底面は第１の縁部Ｔ１により切削され、溝の側面は第２の縁部Ｔ２及び第３の縁部Ｔ３により切削される。その後、ダイヤモンド工具Ｔを光軸方向に沿って少し戻し、更に光軸Ｏに近づくように移動させる。更に、ダイヤモンド工具Ｔを光軸方向に沿って少し戻し、更に光軸Ｏに近づくように移動させる。これを複数回繰り返し、第１の縁部Ｔ１が光学転写面の表面に戻ったら、次の基準位置まで、ダイヤモンド工具Ｔを光軸Ｏに近づくように移動させ、隣の溝を切削加工し、これを繰り返すことで全ての溝を加工することとなる。
【００１１】
本発明の加工方法に用いるダイヤモンド工具Ｔは、細溝を切削できるように、図１に示すように第１の縁部Ｔ１が１００μｍ以下と小さくなっているため、第２の縁部Ｔ２又は第３の縁部Ｔ３側より大きな抵抗を受けたとき、刃先がたわみやすいという特性を有する。加工中に刃先がたわむと、高精度な加工を行えない恐れがあるが、そのような問題に対し、本発明の加工方法によれば、ダイヤモンド工具Ｔを回転軸すなわち光軸Ｏに対して交差する方向に移動させるときは、金型Ｍの外周側から光軸Ｏに向かって移動させている。即ち、最も切り込み量が深い部位（図２における基準位置）を最初に切削加工するので、常に第２の縁部Ｔ２及び第３の縁部Ｔ３から等しい抵抗を受けることで、ダイヤモンド工具Ｔの撓みを抑制することができ、それにより高精度な加工を実現できる。又、すくい面を方形状の領域としたダイヤモンド工具Ｔを用いることで、溝の角Ｒのダレを抑えることもできる。
【００１２】
請求項３に記載の加工方法は、請求項２に記載の発明において、前記ダイヤモンド工具を、前記金型の光学転写面を切り込む切り込み方向に第１の量だけ移動した後に、前記切り込み方向と逆の方向に前記第１の量より小さい第２の量だけ移動し且つ前記回転軸に近接する方向に移動するステップを複数回行うことを特徴とする。より具体的に説明すると、図２（ａ）に示すように、ダイヤモンド工具Ｔを、金型Ｍの光学転写面を切り込む切り込み方向（すなわち図２で下方）に第１の量Ｄ１だけ移動した後に、切り込み方向と逆の方向に第１の量Ｄ１より小さい第２の量Ｄ２だけ移動し且つ光軸Ｏに近接する方向に移動するので、階段状の輪帯溝を形成することができる。尚、１度に第１の量Ｄを切削加工する必要は必ずしもなく、Ｚ軸方向移動とＸ軸方向移動とを繰り返しながら、第１の量Ｄを得るようにすることもできる。尚、本明細書中、「切り込み方向」とは、回転軸に平行であって、ワークもしくは金型に接近する方向をいうものとする。
【００１３】
請求項４に記載の加工方法は、請求項２に記載の発明において、前記ダイヤモンド工具の第１の縁部の長さは、前記光学素子の前記段部の光軸直交方向の最小幅より小さいことを特徴とする。光学素子に設ける回折構造の種類によっては、段部の光軸直交幅が異なる場合もあるが、その場合、ダイヤモンド工具の第１の縁部Ｔ１の長さα（図１（ａ）参照）を最小幅Ｂ（図２（ｂ）参照）より小さくすれば、全ての回折構造に対応した溝を形成できる。
【００１４】
請求項５に記載の加工方法は、請求項４に記載の発明において、前記ダイヤモンド工具を、前記金型の光学転写面を切り込む切り込み方向に第１の量だけ移動した後に、前記回転軸に近接する方向に移動し且つ前記切り込み方向と逆の方向に前記第１の量より小さい第２の量だけ移動するステップを複数回行うことを特徴とする。即ち、溝加工後に、ダイヤモンド工具Ｔを光軸Ｏに近接する方向に移動させれば、任意の幅の溝を加工できる。
【００１５】
請求項６に記載の加工方法は、請求項２に記載の発明において、前記ダイヤモンド工具のすくい面の形状は、最大切り込み時において前記金型に接触している任意の点から、前記第１の縁部に平行な線を引いたとき、前記すくい面に重合する前記線の長さより、前記第１の縁部の長さの方が長いことを特徴とする。
【００１６】
本発明について説明する。図３は、本発明の加工方向に用いると好適なダイヤモンド工具Ｔ’の先端を金型Ｍの断面と共に示した図である。図３において、ダイヤモンド工具Ｔ’のフリーな状態（第１の縁部Ｔ１’のみが金型Ｍの底面に接している状態を含む）を実線で示し、金型Ｍの左側面に第２の縁部Ｔ２’が接している状態を点線で示し、金型Ｍの右側面に第３の縁部Ｔ３’が接している状態を一点鎖線で示す。
【００１７】
ダイヤモンド工具Ｔ’は片持ち状態にあり、しかも細長いすくい面を有するため、切削加工時に側面から大きな力を受けたとき、先端がしなるように変形しやすいという特性を有する。そこで、本発明においては、このしなりを利用して精度よく金型を加工するものである。より具体的には、ダイヤモンド工具Ｔ’のすくい面Ｔ５’の形状は、図３に示す最大切り込み時において金型Ｍに接触している任意の点Ｐから、第１の縁部Ｔ１’の長さ方向に平行な線ｌを引いたとき、すくい面Ｔ５’に重合する線ｌの長さより、第１の縁部Ｔ１’の長さの方が長くなっている。ようするに、ダイヤモンド工具Ｔ’のすくい面Ｔ５’は先太形状となっている。
【００１８】
ダイヤモンド工具Ｔ’の先端が、このような形状を有しているので、図３の点線で示すように、金型Ｍの左側面に第２の縁部Ｔ２’が接すると、側面より抵抗を受けてしなり、その結果第２の縁部Ｔ２’の接触した部位が光軸（不図示）に平行な直線状となるので、金型Ｍの側面は光軸に平行に精度良く切削加工されることとなる。一方、図３の点線で示すように、金型Ｍの右側面に第３の縁部Ｔ３’が接すると、側面より抵抗を受けてしなり、その結果第３の縁部Ｔ３’の接触した部位が光軸（不図示）に平行な直線状となるので、金型Ｍの側面は光軸に平行に精度良く切削加工されることとなる。
【００１９】
請求項７に記載の加工方法は、請求項６に記載の発明において、前記ダイヤモンド工具のすくい面の形状は、先太形状であることを特徴とする。
【００２０】
請求項８に記載の加工方法は、ダイヤモンドからなる切れ刃のすくい面に、互いに交差する方向に延在する第１の縁部と第２の縁部とを形成したダイヤモンド工具を用いて、少なくとも一方の光学機能面が光軸を中心とした複数の光学機能領域に分割され、該複数の光学機能領域のうちの少なくとも１つが、光軸を中心とした輪帯状の領域に分割され、かつ各輪帯に所定数の不連続な段差が設けられるとともに、当該不連続な段差が設けられた輪帯が連続的に配された構造である回折構造を有する光学素子を成形するための金型の光学転写面を加工する加工方法であって、
前記金型を回転させるステップと、回転する前記金型の光学転写面に対して前記第１の縁部及び／又は前記第２の縁部を接触させながら、前記ダイヤモンド工具を前記金型の回転軸に平行な方向に移動させるステップと、前記ダイヤモンド工具のすくい面に直交する軸回りに、前記ダイヤモンド工具を回動させるステップと、を有することを特徴とする。
【００２１】
本発明について説明する。図４は、本発明の加工方向に用いると好適なダイヤモンド工具Ｔ”の先端を金型Ｍの断面と共に示した図である。本発明においては、ダイヤモンド工具Ｔ”のすくい面は、直線状の第１の縁部Ｔ１”と直線状の第２の縁部Ｔ２”とから形成された剣先形状となっており、図４でＸ軸方向及びＺ軸方向に移動可能な他、そのすくい面に直交するθ軸周りに回転可能となっている。尚、第１の縁部Ｔ１”と第２の縁部Ｔ２”との連結は、単一もしくは複数の微細な直線及び／又は円弧を介して行っても良い。
【００２２】
本発明においては、金型Ｍの光学転写面における光学素子の段差に対応する部位において、光軸（図４の右方において上下方向に延在するが不図示）を向いた左側面（内周面）は第１の縁部Ｔ１”によって加工される。一方、左側面に対向する右側面（外周面）は、ダイヤモンド工具Ｔ”を図４の実線で示す位置から点線で示す位置へと回動させることによって、第２の縁部Ｔ２”によって加工される。それにより、使用しない縁部が他の側面と干渉することが抑制され、しかも側面と底面の角のダレを抑えながら、金型Ｍの深溝の左側面と右側面を精度良く加工することができる。尚、溝の底面については、実線で示す姿勢のダイヤモンド工具Ｔ”をＸ軸方向に移動することで、中央まで切削加工し、ついでダイヤモンド工具Ｔ”を回動させた後、更に点線で示す位置までＸ軸方向に移動することで加工を行うことができる。
【００２３】
請求項９に記載の加工方法は、請求項８に記載の発明において、前記金型の光学転写面における前記光学素子の段差に対応する部位において、光軸を向いた内周面は前記第１の縁部によって加工され、前記内周面に対向する外周面は前記第２の縁部によって加工されることを特徴とする。
【００２４】
請求項１０に記載の加工方法は、請求項８又は９に記載の発明において、前記ダイヤモンド工具の回動中心を、前記第１の縁部と前記第２の縁部との交点と一致させることを特徴とするので、図４に示すダイヤモンド工具Ｔ”をＸ軸方向に移動させながらθ軸回りに回動させたとき、第１の縁部Ｔ１”と第２の縁部Ｔ２”との交点Ｃは、ダイヤモンド工具Ｔ”の回動位置に関わりなくＺ軸方向の変位が生じないので、ダイヤモンド工具Ｔ”の位置制御が容易であるにもかかわらず、高精度な底面加工を行える。
【００２５】
請求項１１に記載の加工方法は、請求項８又は９に記載の発明において、前記ダイヤモンド工具を、その回動量に応じて、前記金型の回転軸に平行な方向に移動することを特徴とする。上述したように前記第１の縁部と前記第２の縁部との交点と一致させない場合でも、ダイヤモンド工具Ｔ”の回動位置に応じてＺ軸方向に移動させれば、交点Ｃの変位が生じないので、高精度な底面加工を行える。
【００２６】
請求項１２に記載の加工方法は、ダイヤモンドからなる切れ刃を有する第１のダイヤモンド工具と第２のダイヤモンド工具とを用いて、少なくとも一方の光学機能面が光軸を中心とした複数の光学機能領域に分割され、該複数の光学機能領域のうちの少なくとも１つが、光軸を中心とした輪帯状の領域に分割され、かつ各輪帯に所定数の不連続な段差が設けられるとともに、当該不連続な段差が設けられた輪帯が連続的に配された構造である回折構造を有する光学素子を成形するための金型の光学転写面を加工する加工方法であって、
前記金型を回転させるステップと、回転する前記金型の光学転写面に対して切れ刃を接触させながら、前記ダイヤモンド工具を前記金型の回転軸に平行な方向に移動させるステップと、を有し、前記金型の光学転写面における前記光学素子の段差に対応する部位において、光軸を向いた内周面は前記第１のダイヤモンド工具によって形成され、前記内周面に対向する外周面は前記第２のダイヤモンド工具によって形成されることを特徴とする。
【００２７】
本発明について説明する。図５は、本発明の加工方向に用いると好適な２本のダイヤモンド工具Ｔ”の先端を金型Ｍの断面と共に示した図である。図５に示すように、すくい面が、直線状の第１の縁部Ｔ１”と直線状の第２の縁部Ｔ２”とから形成された剣先形状となっている同じ形状のダイヤモンド工具Ｔ”を２本、異なる位相で重合して取り付けられた例を示しているが、図１に示す方形状のすくい面を有するダイヤモンド工具を２本平行に取り付けても良い。
【００２８】
本発明によれば、金型Ｍの光学転写面における光学素子の段差に対応する部位において、光軸（図５の右方において上下方向に延在するが不図示）を向いた左側面（内周面）は第１のダイヤモンド工具Ｔ”（図で左側）の縁部によって加工される。一方、左側面に対向する右側面（外周面）は、第２のダイヤモンド工具Ｔ”（図で右側）の縁部によって加工される。それにより、単一のダイヤモンド工具を用いた場合に、使用しない縁部が他の側面と干渉することが抑制され、しかも側面と底面の角のダレを抑えながら、金型Ｍの深溝の左側面と右側面を精度良く加工することができる。尚、溝の底面については、図で左のダイヤモンド工具Ｔ”をＸ軸方向に移動することで、中央まで切削加工し、ついで右のダイヤモンド工具Ｔ”を、中央からＸ軸方向に移動することで加工を行うことができる。
【００２９】
請求項１３に記載の加工方法は、請求項１２に記載の発明において、前記第１又は前記第２のダイヤモンド工具を、前記金型の光学転写面を切り込む切り込み方向に移動する前又は移動した後に、前記回転軸に交差する方向に移動する方向に移動するステップを有することを特徴とする。これは、例えば図５において、左のダイヤモンド工具Ｔ”をＺ軸方向（切り込み方向）に移動させ、金型Ｍの光学転写面を切り込むことで溝の左側面を加工した後、Ｘ軸方向に移動することに相当する。
【００３０】
請求項１４に記載の加工方法は、ダイヤモンドからなる切れ刃のすくい面に縁部を形成したダイヤモンド工具を用いて、ワークを加工する加工方法であって、
前記金型を回転させるステップと、回転する前記金型の光学転写面に対して前記縁部を接触させながら、前記ダイヤモンド工具を前記金型の回転軸に平行な方向に移動させるステップと、前記ダイヤモンド工具を、第１の姿勢と、前記第１の姿勢とは異なる第２の姿勢のいずれかに設定するステップと、を有し、前記第１の姿勢に維持された前記ダイヤモンド工具の縁部によって加工する際の前記金型の回転方向は、前記第２の姿勢に維持された前記ダイヤモンド工具の縁部によって加工する際の前記金型の回転方向と逆であることを特徴とする。
【００３１】
本発明について、金型をワークの例にとり説明する。図６は、本発明の加工方向に用いると好適なダイヤモンド工具Ｔ”の先端を金型Ｍの断面と共に示した図である。本発明の加工方向においては、単一のダイヤモンド工具Ｔ”を用いるが、かかるダイヤモンド工具Ｔ”は、軸Ｑ（例えば光軸に平行であって良いが、それに限られない）回りに回転可能に取り付けられている。図５においては、左に示すダイヤモンド工具Ｔ”はすくい面Ｔ５”を紙面上方に向けている（第１の姿勢）が、右に示すダイヤモンド工具Ｔ”はすくい面Ｔ５”を紙面下方に向けている（第２の姿勢）。
【００３２】
本発明によれば、金型Ｍの光学転写面における光学素子の段差に対応する部位において、光軸（図６の右方において上下方向に延在するが不図示）を向いた左側面（内周面）は、金型Ｍを正回転させながら、第１の姿勢にされたダイヤモンド工具Ｔ”（図で左側）の縁部によって加工される。一方、左側面に対向する右側面（外周面）は、金型Ｍを逆回転させながら、第２の姿勢にされたダイヤモンド工具Ｔ”（図で右側）の同じ縁部によって加工される。それにより、単一のダイヤモンド工具を姿勢を変えることなく用いた場合に、使用しない縁部が他の側面と干渉することが抑制され、しかも側面と底面の角のダレを抑えながら、金型Ｍの深溝の左側面と右側面を精度良く加工することができる。又、ダイヤモンド工具Ｔ”を製造する場合に、一つの縁部のみを精度良く形成すればよく、工具の低コスト化が図れる。尚、溝の底面については、図で第１の姿勢にしたダイヤモンド工具Ｔ”をＸ軸方向に移動することで、中央まで切削加工し、ついで第２の姿勢にしたダイヤモンド工具Ｔ”を、その位置からＸ軸方向に移動することで加工を行うことができる。
【００３３】
請求項１５に記載の加工方法は、ダイヤモンドからなる切れ刃のすくい面に縁部を形成した第１のダイヤモンド工具と第２のダイヤモンド工具とを用いて、ワークを加工する加工方法であって、
前記金型を回転させるステップと、回転する前記金型の光学転写面に対して前記縁部を接触させながら、前記ダイヤモンド工具を前記金型の回転軸に平行な方向に移動させるステップと、を有し、前記第１のダイヤモンド工具の縁部によって加工する際の前記金型の回転方向は、前記第２のダイヤモンド工具の縁部によって加工する際の前記金型の回転方向と逆であることを特徴とする。
【００３４】
本発明について、金型をワークの例にとり図６を参照して説明する。本発明の加工方向においては、請求項１４の発明に類似するが、２本のダイヤモンド工具Ｔ”を用いている。本発明によれば、金型Ｍの光学転写面における光学素子の段差に対応する部位において、光軸（図６の右方において上下方向に延在するが不図示）を向いた左側面（内周面）は、金型Ｍを正回転させながら、第１のダイヤモンド工具Ｔ”（図で左側）の縁部によって加工される。一方、左側面に対向する右側面（外周面）は、金型Ｍを逆回転させながら、第２のダイヤモンド工具Ｔ”（図で右側）の縁部によって加工される。それにより、単一のダイヤモンド工具を姿勢を変えることなく用いた場合に、使用しない縁部が他の側面と干渉することが抑制され、しかも側面と底面の角のダレを抑えながら、金型Ｍの深溝の左側面と右側面を精度良く加工することができる。尚、溝の底面については、図で第１の姿勢にしたダイヤモンド工具Ｔ”をＸ軸方向に移動することで、中央まで切削加工し、ついで第２の姿勢にしたダイヤモンド工具Ｔ”を、その位置からＸ軸方向に移動することで加工を行うことができる。
【００３５】
請求項１６に記載の加工方法は、ダイヤモンドからなる切れ刃のすくい面に縁部を形成したダイヤモンド工具を用いて、少なくとも一方の光学機能面が光軸を中心とした複数の光学機能領域に分割され、該複数の光学機能領域のうちの少なくとも１つが、光軸を中心とした輪帯状の領域に分割され、かつ各輪帯に所定数の不連続な段差が設けられるとともに、当該不連続な段差が設けられた輪帯が連続的に配された構造である回折構造を有する光学素子を成形するための金型の光学転写面を加工する加工方法であって、
前記金型を回転させるステップと、回転する前記金型の光学転写面に対して前記縁部を接触させながら、前記ダイヤモンド工具を前記金型の回転軸に平行な方向に移動させるステップと、前記ダイヤモンド工具を、第１の姿勢と、前記第１の姿勢とは異なる第２の姿勢のいずれかに設定するステップと、を有し、前記金型の光学転写面における前記光学素子の段差に対応する部位において、光軸を向いた内周面は、前記第１の姿勢に維持された前記ダイヤモンド工具の縁部によって加工され、前記内周面に対向する外周面は、前記第２の姿勢に維持された前記ダイヤモンド工具の縁部によって加工されることを特徴とする。本発明の作用効果は、請求項１４に記載の発明と同様である。
【００３６】
請求項１７に記載の加工方法は、請求項１６に記載の発明において、前記第１の姿勢に維持された前記ダイヤモンド工具の縁部によって加工する際の前記金型の回転方向は、前記第２の姿勢に維持された前記ダイヤモンド工具の縁部によって加工する際の前記金型の回転方向と逆であることを特徴とする。
【００３７】
請求項１８に記載の加工方法は、請求項１乃至１７のいずれかに記載の発明において、前記ワークの加工面もしくは前記金型の光学転写面にニッケル・隣・銅メッキを施していることを特徴とする。特に、ニッケル・隣・銅メッキは被切削性に優れるため、長い工具寿命を確保できるからである。尚、光学転写面に、ニッケル・隣メッキを用いても良く、銅、アルミ、金属ガラス等のコーティングを行っても類似の効果が得られる。
【００３８】
ここで「光学素子」としては、例えばレンズ、プリズム、回折格子光学素子（回折レンズ、回折プリズム、回折板、色収差補正素子）、光学フィルター（空間ローパスフィルター、波長バンドパスフィルター、波長ローパスフィルター、波長ハイパスフィルター等々）、偏光フィルター（検光子、旋光子、偏光分離プリズム等々）、位相フィルター（位相板、ホログラム等々）があげられるが、以上に限られることはない。
【発明の効果】
【００３９】
本発明によれば、例えば回折レンズに代表されるような光学素子の成形用金型の加工に好適であり、高精度な加工面を形成できる加工方法を提供することができる。
【図面の簡単な説明】
【００４０】
【図１】本発明にかかる加工方法に用いると好適なダイヤモンド工具Ｔの先端のすくい面側から見た図（ａ）及びその側面図（ｂ）である。
【図２】図１のダイヤモンド工具を用いて加工された後の金型Ｍの斜視図（ａ）及びその光学転写面の概略拡大断面図（ｂ）である。
【図３】本発明の加工方向に用いると好適なダイヤモンド工具Ｔ’の先端を金型Ｍの断面と共に示した図である。
【図４】本発明の加工方向に用いると好適なダイヤモンド工具Ｔ”の先端を金型Ｍの断面と共に示した図である。
【図５】本発明の加工方向に用いると好適な２本のダイヤモンド工具Ｔ”の先端を金型Ｍの断面と共に示した図である。
【図６】本発明の加工方向に用いると好適なダイヤモンド工具Ｔ”の先端を金型Ｍの断面と共に示した図である。
【図７】本発明にかかる加工方法を実行するのに好適な実施の形態である２軸超精密加工機１０の斜視図である。
【図８】ダイヤモンド工具の斜視図である。
【図９】本発明にかかる加工方法を実行するのに好適な実施の形態である３軸超精密加工機２０の斜視図である。
【図１０】本発明にかかる加工方法を実行するのに好適な実施の形態である２軸超精密加工機３０の斜視図である。
【発明を実施するための形態】
【００４１】
以下、図面を参照して本発明の実施の形態について説明する。図７は、請求項１〜７に記載の発明にかかる加工方法を実行するのに好適な実施の形態である２軸超精密加工機１０の斜視図であり、図８は、ダイヤモンド工具の斜視図である。図７に示す２軸超精密加工機１０において、不図示の制御装置によってＸ軸方向に駆動されるＸ軸テーブル２が、台座１上に配置されている。Ｘ軸テーブル２上には、ダイヤモンド工具Ｔが取り付けられている。又、不図示の制御装置によってＺ軸方向に駆動されるＺ軸テーブル４が、台座１上に配置されている。Ｚ軸テーブル４上には、不図示の制御装置によって回転駆動される主軸（回転軸）５が取り付けられている。主軸５は、加工すべき転写光学面を有する光学素子成形用の金型（図２（ａ）参照）を取り付け可能となっている。ダイヤモンド工具Ｔは、その先端にダイヤモンドチップＴｃを取り付けており、その形状は図１に示すものと同様である。
【００４２】
本実施の形態にかかる加工方法によれば、主軸５やＸ・Ｚ軸テーブル２，４の剛性が非常に高く、軸制御分解能が１００ｎｍ以下の超精密加工機を用いて、主軸５にワークであるところの光学素子成形用の金型を取り付け、主軸回転数１０００ｍｉｎ-1で回転させ、切り込み量１μｍ、送り０．２ｍｍ／ｍｉｎの条件で、ダイヤモンド工具Ｔ（又はＴ’）により、切れ刃の切削点が加工中に連続的に移動するようにして、延性モードで切削加工することにより、図２（ｂ）に示すごとき階段状の輪帯を含む回折構造に対応する溝を、金型の光学転写面に創成することができる。
【００４３】
図９は、請求項９〜１１に記載の発明にかかる加工方法を実行するのに好適な実施の形態である３軸超精密加工機２０の斜視図である。本実施の形態にかかる３軸超精密加工機２０は、図７に示す２軸超精密加工機１０に対して、Ｘ軸テーブル２上に、不図示の制御装置によってθ軸回りに回転駆動される回転テーブル６が形成されている。その他の構成に関しては、基本的に図７に示す実施の形態と同様であるので、同じ符号を付すことで説明を省略する。
【００４４】
本実施の形態によれば、上述したように、Ｘ軸移動とθ軸回りの回転とを同時に行うことで、図４に示すように、剣先状の先端を有するダイヤモンド工具Ｔ”を用いて、階段状の輪帯を含む回折構造に対応する溝を、金型の光学転写面に創成することができる。
【００４５】
図１０は、請求項１２、１３、１５に記載の発明にかかる加工方法を実行するのに好適な実施の形態である２軸超精密加工機３０の斜視図である。本実施の形態にかかる２軸超精密加工機３０は、図７に示す２軸超精密加工機１０に対して、Ｘ軸テーブル２上に、２本のダイヤモンド工具Ｔ”を並行して取り付けている。その他の構成に関しては、基本的に図７に示す実施の形態と同様であるので、同じ符号を付すことで説明を省略する。
【００４６】
本実施の形態によれば、上述したように、例えば溝の内周面を加工する場合には、第１のダイヤモンド工具Ｔ”を金型に接近させ、溝の外周面を加工する場合には、第２のダイヤモンド工具Ｔ”を金型に接近させるようにＸ軸テーブルの移動を制御することで、図５に示すように、剣先状の先端を有するダイヤモンド工具Ｔ”を用いて、階段状の輪帯を含む回折構造に対応する溝を、金型の光学転写面に創成することができる。
【００４７】
請求項１４、１６，１７に示す加工方法の場合、ダイヤモンド工具の姿勢を変えることがあるが、これはダイヤモンド工具を作業者が付け替えることで行える。それ以外にも、Ｘ軸テーブル上に、工具を例えば１８０度反転させ反転装置を設けて、それにダイヤモンド工具を取り付けることで、その姿勢を容易に変更することもできる。主軸５は、モータに与える電力の極性を反転させることで逆転駆動させることができる。
【００４８】
以上、本発明を実施の形態を参照して説明してきたが、本発明は上記実施の形態に限定して解釈されるべきではなく、適宜変更・改良が可能であることはもちろんである。例えば、本発明の加工方法は、光学素子の成形用金型の加工以外にも用いることができる。
【符号の説明】
【００４９】
Ｍ  金型
Ｔ、Ｔ’、Ｔ”  ダイヤモンド工具
１０，２０，３０  超精密加工機
【図１】
2010188525.tif 000003
【図２】
2010188525.tif 000004
【図３】
2010188525.tif 000005
【図４】
2010188525.tif 000006
【図５】
2010188525.tif 000007
【図６】
2010188525.tif 000008
【図７】
2010188525.tif 000009
【図８】
2010188525.tif 000010
【図９】
2010188525.tif 000011
【図１０】
2010188525.tif 000012
【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
ダイヤモンドからなる切れ刃のすくい面に、互いに交差する方向に延在する第１の縁部と第２の縁部とを形成したダイヤモンド工具を用いて、光学機能面に、光軸を中心とした輪帯状で、かつ輪帯に所定数の不連続な段差が設けられた階段状の構造である回折構造を有する光学素子を成形するための金型の光学転写面を加工する加工方法であって、
前記金型を回転させるステップと、
回転する前記金型の光学転写面に対して前記第１の縁部及び／又は前記第２の縁部を接触させながら、前記ダイヤモンド工具を前記金型の回転軸に平行な方向に移動させるステップと、
前記ダイヤモンド工具のすくい面に直交する軸回りに、前記ダイヤモンド工具を回動させるステップと、を有することを特徴とする加工方法。
【請求項２】
前記金型の光学転写面における前記光学素子の段差に対応する部位において、光軸を向いた内周面は前記第１の縁部によって加工され、前記内周面に対向する外周面は前記第２の縁部によって加工されることを特徴とする請求項１に記載の加工方法。
【請求項３】
前記ダイヤモンド工具の回動中心を、前記第１の縁部と前記第２の縁部との交点と一致させることを特徴とする請求項１又は２に記載の加工方法。
【請求項４】
前記ダイヤモンド工具を、その回動量に応じて、前記金型の回転軸に平行な方向に移動することを特徴とする請求項１又は２に記載の加工方法。
【請求項５】
前記金型の光学転写面にニッケル・隣・銅メッキを施していることを特徴とする請求項１乃至４のいずれかに記載の加工方法。
【手続補正２】
【補正対象書類名】明細書
【補正対象項目名】０００６
【補正方法】変更
【補正の内容】
【０００６】
参考例１の加工方法は、ダイヤモンドからなる切れ刃のすくい面に、ワークの回転軸に対して交差する方向に少なくとも１００μｍ以内の長さで直線状に延在する直線部を含む第１の縁部と、前記第１の縁部より長く且つ前記第１の縁部の端部に接続する直線状の第２の縁部及び第３の縁部とを形成したダイヤモンド工具を用いて、ワークを加工する加工方法であって、前記ワークを回転させるステップと、回転する前記ワークに対して前記第１の縁部を接触させながら、前記ダイヤモンド工具を前記回転軸に対して交差する方向及び前記回転軸に平行な方向に移動させるステップと、を有することを特徴とするので、前記金型の光学転写面を、前記第１の縁部により切削することで底面が精度よく且つ効率よく形成され、前記第２又は第３の縁部により切削することで、前記底面と交差する周面が精度よく且つ効率よく形成されることとなる。尚、「ワーク」とは、例えば光学素子成形用金型のようなものをいうが、それに限られることはない。又、「直線部を含む第１の縁部」とは、直線部のみから第１の縁部を構成してもよく、或いは直線部と、その一方の端部もしくは両端に連結した別の直線部もしくは円弧とで、第１の縁部を構成しても良いことを意味する。
【手続補正３】
【補正対象書類名】明細書
【補正対象項目名】０００７
【補正方法】変更
【補正の内容】
【０００７】
参考例２の加工方法は、ダイヤモンドからなる切れ刃のすくい面に、金型の回転軸に対して交差する方向に少なくとも１００μｍ以内の長さで直線状に延在する直線部を含む第１の縁部と、前記第１の縁部より長く且つ前記第１の縁部の端部に接続する直線状の第２の縁部及び第３の縁部とを形成したダイヤモンド工具を用いて、少なくとも一方の光学機能面が光軸を中心とした複数の光学機能領域に分割され、該複数の光学機能領域のうちの少なくとも１つが、光軸を中心とした輪帯状の領域に分割され、かつ各輪帯に所定数の不連続な段差が設けられるとともに、当該不連続な段差が設けられた輪帯が連続的に配された構造である回折構造を有する光学素子を成形するための金型の光学転写面を加工する加工方法であって、
前記金型を回転させるステップと、回転する前記金型の光学転写面に対して前記第１の縁部を接触させながら、前記ダイヤモンド工具を前記回転軸に近接する方向及び前記回転軸に平行な方向に移動させる（移動の順序は逆でも良い、以下同じ）ステップと、を有することを特徴とする。
【手続補正４】
【補正対象書類名】明細書
【補正対象項目名】０００８
【補正方法】変更
【補正の内容】
【０００８】
参考例１，２について、図面を参照して説明する。図１は、参考例１，２にかかる加工方法に用いると好適なダイヤモンド工具Ｔの先端のすくい面側から見た図（ａ）及びその側面図（ｂ）である。図１（ａ）において、ダイヤモンド工具Ｔは、直線状に延在する先端の第１の縁部Ｔ１（１００μｍ以下）と、第１の縁部Ｔ１の両端から直交する方向に直線状に延在する第２の縁部Ｔ２と第３の縁部Ｔ３とを有し、これらによって方形状のすくい面Ｔ５を形成している。第２の縁部Ｔ２は、第３の縁部Ｔ３から離隔するように延在する第４の縁部Ｔ４に接続されている。ここで方形とは、互いに平行に延在する縁部Ｔ２，Ｔ３のうち短い方の第２の縁部Ｔ２における第４の縁部Ｔ４側の端部（先端から距離βの位置）から、第１の縁部Ｔ１に平行な線Ｔ６を引くことで、縁部Ｔ１，Ｔ２、Ｔ３，線Ｔ６で囲われる領域をいうものとする。尚、本明細書中、縁部同士が接続するとは、縁部同士が直接接続している場合のほか、他の単一もしくは複数の直線及び／又は円弧を介して間接的に接続している場合も含む。
【手続補正５】
【補正対象書類名】明細書
【補正対象項目名】０００９
【補正方法】変更
【補正の内容】
【０００９】
図２は、図１のダイヤモンド工具を用いて加工された後の金型Ｍの斜視図（ａ）及びその光学転写面の概略拡大断面図（ｂ）である。参考例１，２の加工方法によって加工される金型Ｍは、少なくとも一方の光学機能面が光軸を中心とした複数の光学機能領域に分割され、該複数の光学機能領域のうちの少なくとも１つが、光軸を中心とした輪帯状の領域に分割され、かつ各輪帯に所定数の不連続な段差が設けられるとともに、当該不連続な段差が設けられた輪帯が連続的に配された構造である回折構造を有する光学素子成形に用いられると好適である。かかる回折構造は、断面が階段状になっており、それに相補する形で、図２に示すような金型Ｍの光学転写面（光学素子の光学面を転写する面をいうが、ニッケル・隣・銅メッキが施されていると好ましい）が形成されることとなる。尚、ダイヤモンド工具Ｔは、図２でＸ軸方向（回転軸に近づく方向ともいう）及びＺ軸方向（金型の回転軸と平行な方向ともいう）に移動可能となっている。
【手続補正６】
【補正対象書類名】明細書
【補正対象項目名】００１０
【補正方法】変更
【補正の内容】
【００１０】
参考例１，２の加工方法の一例を示すと、図２（ｂ）に示すように、まず金型Ｍを光軸（回転軸ともいう）Ｏの回りに回転させ、ダイヤモンド工具Ｔの第１の縁部Ｔ１を、金型Ｍの光学転写面（ここでは上面）に対して押し当てながら外周から光軸Ｏに近づくように（Ｘ軸方向に）移動させ、基準位置（点線の位置）で、光軸Ｏに対して平行に且つ金型Ｍに更に押しつける方向（Ｚ軸方向）に移動させる。すると、ダイヤモンド工具Ｔが金型Ｍの光学転写面を切削加工し、輪帯状の溝が形成されるが、溝の底面は第１の縁部Ｔ１により切削され、溝の側面は第２の縁部Ｔ２及び第３の縁部Ｔ３により切削される。その後、ダイヤモンド工具Ｔを光軸方向に沿って少し戻し、更に光軸Ｏに近づくように移動させる。更に、ダイヤモンド工具Ｔを光軸方向に沿って少し戻し、更に光軸Ｏに近づくように移動させる。これを複数回繰り返し、第１の縁部Ｔ１が光学転写面の表面に戻ったら、次の基準位置まで、ダイヤモンド工具Ｔを光軸Ｏに近づくように移動させ、隣の溝を切削加工し、これを繰り返すことで全ての溝を加工することとなる。
【手続補正７】
【補正対象書類名】明細書
【補正対象項目名】００１１
【補正方法】変更
【補正の内容】
【００１１】
参考例１，２の加工方法に用いるダイヤモンド工具Ｔは、細溝を切削できるように、図１に示すように第１の縁部Ｔ１が１００μｍ以下と小さくなっているため、第２の縁部Ｔ２又は第３の縁部Ｔ３側より大きな抵抗を受けたとき、刃先がたわみやすいという特性を有する。加工中に刃先がたわむと、高精度な加工を行えない恐れがあるが、そのような問題に対し、参考例１，２の加工方法によれば、ダイヤモンド工具Ｔを回転軸すなわち光軸Ｏに対して交差する方向に移動させるときは、金型Ｍの外周側から光軸Ｏに向かって移動させている。即ち、最も切り込み量が深い部位（図２における基準位置）を最初に切削加工するので、常に第２の縁部Ｔ２及び第３の縁部Ｔ３から等しい抵抗を受けることで、ダイヤモンド工具Ｔの撓みを抑制することができ、それにより高精度な加工を実現できる。又、すくい面を方形状の領域としたダイヤモンド工具Ｔを用いることで、溝の角Ｒのダレを抑えることもできる。
【手続補正８】
【補正対象書類名】明細書
【補正対象項目名】００１２
【補正方法】変更
【補正の内容】
【００１２】
参考例３の加工方法は、参考例２の加工方法において、前記ダイヤモンド工具を、前記金型の光学転写面を切り込む切り込み方向に第１の量だけ移動した後に、前記切り込み方向と逆の方向に前記第１の量より小さい第２の量だけ移動し且つ前記回転軸に近接する方向に移動するステップを複数回行うことを特徴とする。より具体的に説明すると、図２（ａ）に示すように、ダイヤモンド工具Ｔを、金型Ｍの光学転写面を切り込む切り込み方向（すなわち図２で下方）に第１の量Ｄ１だけ移動した後に、切り込み方向と逆の方向に第１の量Ｄ１より小さい第２の量Ｄ２だけ移動し且つ光軸Ｏに近接する方向に移動すると、階段状の輪帯溝を形成することができる。尚、１度に第１の量Ｄを切削加工する必要は必ずしもなく、Ｚ軸方向移動とＸ軸方向移動とを繰り返しながら、第１の量Ｄを得るようにすることもできる。尚、本明細書中、「切り込み方向」とは、回転軸に平行であって、ワークもしくは金型に接近する方向をいうものとする。
【手続補正９】
【補正対象書類名】明細書
【補正対象項目名】００１３
【補正方法】変更
【補正の内容】
【００１３】
参考例４の加工方法は、参考例２の加工方法において、前記ダイヤモンド工具の第１の縁部の長さは、前記光学素子の前記段部の光軸直交方向の最小幅より小さいことを特徴とする。光学素子に設ける回折構造の種類によっては、段部の光軸直交幅が異なる場合もあるが、その場合、ダイヤモンド工具の第１の縁部Ｔ１の長さα（図１（ａ）参照）を最小幅Ｂ（図２（ｂ）参照）より小さくすれば、全ての回折構造に対応した溝を形成できる。
【手続補正１０】
【補正対象書類名】明細書
【補正対象項目名】００１４
【補正方法】変更
【補正の内容】
【００１４】
参考例５の加工方法は、参考例４の加工方法において、前記ダイヤモンド工具を、前記金型の光学転写面を切り込む切り込み方向に第１の量だけ移動した後に、前記回転軸に近接する方向に移動し且つ前記切り込み方向と逆の方向に前記第１の量より小さい第２の量だけ移動するステップを複数回行うことを特徴とする。即ち、溝加工後に、ダイヤモンド工具Ｔを光軸Ｏに近接する方向に移動させれば、任意の幅の溝を加工できる。
【手続補正１１】
【補正対象書類名】明細書
【補正対象項目名】００１５
【補正方法】変更
【補正の内容】
【００１５】
参考例６の加工方法は、参考例２の加工方法において、前記ダイヤモンド工具のすくい面の形状は、最大切り込み時において前記金型に接触している任意の点から、前記第１の縁部に平行な線を引いたとき、前記すくい面に重合する前記線の長さより、前記第１の縁部の長さの方が長いことを特徴とする。
【手続補正１２】
【補正対象書類名】明細書
【補正対象項目名】００１６
【補正方法】変更
【補正の内容】
【００１６】
本参考例について説明する。図３は、本参考例の加工方向に用いると好適なダイヤモンド工具Ｔ’の先端を金型Ｍの断面と共に示した図である。図３において、ダイヤモンド工具Ｔ’のフリーな状態（第１の縁部Ｔ１’のみが金型Ｍの底面に接している状態を含む）を実線で示し、金型Ｍの左側面に第２の縁部Ｔ２’が接している状態を点線で示し、金型Ｍの右側面に第３の縁部Ｔ３’が接している状態を一点鎖線で示す。
【手続補正１３】
【補正対象書類名】明細書
【補正対象項目名】００１９
【補正方法】変更
【補正の内容】
【００１９】
参考例７の加工方法は、参考例６の加工方法において、前記ダイヤモンド工具のすくい面の形状は、先太形状であることを特徴とする。
【手続補正１４】
【補正対象書類名】明細書
【補正対象項目名】００２０
【補正方法】変更
【補正の内容】
【００２０】
請求項１に記載の加工方法は、ダイヤモンドからなる切れ刃のすくい面に、互いに交差する方向に延在する第１の縁部と第２の縁部とを形成したダイヤモンド工具を用いて、光学機能面に、光軸を中心とした輪帯状で、かつ輪帯に所定数の不連続な段差が設けられた階段状の構造である回折構造を有する光学素子を成形するための金型の光学転写面を加工する加工方法であって、
前記金型を回転させるステップと、回転する前記金型の光学転写面に対して前記第１の縁部及び／又は前記第２の縁部を接触させながら、前記ダイヤモンド工具を前記金型の回転軸に平行な方向に移動させるステップと、前記ダイヤモンド工具のすくい面に直交する軸回りに、前記ダイヤモンド工具を回動させるステップと、を有することを特徴とする。
【手続補正１５】
【補正対象書類名】明細書
【補正対象項目名】００２３
【補正方法】変更
【補正の内容】
【００２３】
請求項２に記載の加工方法は、請求項１に記載の発明において、前記金型の光学転写面における前記光学素子の段差に対応する部位において、光軸を向いた内周面は前記第１の縁部によって加工され、前記内周面に対向する外周面は前記第２の縁部によって加工されることを特徴とする。
【手続補正１６】
【補正対象書類名】明細書
【補正対象項目名】００２４
【補正方法】変更
【補正の内容】
【００２４】
請求項３に記載の加工方法は、請求項１又は２に記載の発明において、前記ダイヤモンド工具の回動中心を、前記第１の縁部と前記第２の縁部との交点と一致させることを特徴とするので、図４に示すダイヤモンド工具Ｔ”をＸ軸方向に移動させながらθ軸回りに回動させたとき、第１の縁部Ｔ１”と第２の縁部Ｔ２”との交点Ｃは、ダイヤモンド工具Ｔ”の回動位置に関わりなくＺ軸方向の変位が生じないので、ダイヤモンド工具Ｔ”の位置制御が容易であるにもかかわらず、高精度な底面加工を行える。
【手続補正１７】
【補正対象書類名】明細書
【補正対象項目名】００２５
【補正方法】変更
【補正の内容】
【００２５】
請求項４に記載の加工方法は、請求項１又は２に記載の発明において、前記ダイヤモンド工具を、その回動量に応じて、前記金型の回転軸に平行な方向に移動することを特徴とする。上述したように前記第１の縁部と前記第２の縁部との交点と一致させない場合でも、ダイヤモンド工具Ｔ”の回動位置に応じてＺ軸方向に移動させれば、交点Ｃの変位が生じないので、高精度な底面加工を行える。
【手続補正１８】
【補正対象書類名】明細書
【補正対象項目名】００２６
【補正方法】変更
【補正の内容】
【００２６】
参考例８の加工方法は、ダイヤモンドからなる切れ刃を有する第１のダイヤモンド工具と第２のダイヤモンド工具とを用いて、少なくとも一方の光学機能面が光軸を中心とした複数の光学機能領域に分割され、該複数の光学機能領域のうちの少なくとも１つが、光軸を中心とした輪帯状の領域に分割され、かつ各輪帯に所定数の不連続な段差が設けられるとともに、当該不連続な段差が設けられた輪帯が連続的に配された構造である回折構造を有する光学素子を成形するための金型の光学転写面を加工する加工方法であって、
前記金型を回転させるステップと、回転する前記金型の光学転写面に対して切れ刃を接触させながら、前記ダイヤモンド工具を前記金型の回転軸に平行な方向に移動させるステップと、を有し、前記金型の光学転写面における前記光学素子の段差に対応する部位において、光軸を向いた内周面は前記第１のダイヤモンド工具によって形成され、前記内周面に対向する外周面は前記第２のダイヤモンド工具によって形成されることを特徴とする。
【手続補正１９】
【補正対象書類名】明細書
【補正対象項目名】００２７
【補正方法】変更
【補正の内容】
【００２７】
参考例８について説明する。図５は、参考例８の加工方法に用いると好適な２本のダイヤモンド工具Ｔ”の先端を金型Ｍの断面と共に示した図である。図５に示すように、すくい面が、直線状の第１の縁部Ｔ１”と直線状の第２の縁部Ｔ２”とから形成された剣先形状となっている同じ形状のダイヤモンド工具Ｔ”を２本、異なる位相で重合して取り付けられた例を示しているが、図１に示す方形状のすくい面を有するダイヤモンド工具を２本平行に取り付けても良い。
【手続補正２０】
【補正対象書類名】明細書
【補正対象項目名】００２８
【補正方法】変更
【補正の内容】
【００２８】
参考例８によれば、金型Ｍの光学転写面における光学素子の段差に対応する部位において、光軸（図５の右方において上下方向に延在するが不図示）を向いた左側面（内周面）は第１のダイヤモンド工具Ｔ”（図で左側）の縁部によって加工される。一方、左側面に対向する右側面（外周面）は、第２のダイヤモンド工具Ｔ”（図で右側）の縁部によって加工される。それにより、単一のダイヤモンド工具を用いた場合に、使用しない縁部が他の側面と干渉することが抑制され、しかも側面と底面の角のダレを抑えながら、金型Ｍの深溝の左側面と右側面を精度良く加工することができる。尚、溝の底面については、図で左のダイヤモンド工具Ｔ”をＸ軸方向に移動することで、中央まで切削加工し、ついで右のダイヤモンド工具Ｔ”を、中央からＸ軸方向に移動することで加工を行うことができる。
【手続補正２１】
【補正対象書類名】明細書
【補正対象項目名】００２９
【補正方法】変更
【補正の内容】
【００２９】
参考例９の加工方法は、参考例８の加工方法において、前記第１又は前記第２のダイヤモンド工具を、前記金型の光学転写面を切り込む切り込み方向に移動する前又は移動した後に、前記回転軸に交差する方向に移動する方向に移動するステップを有することを特徴とする。これは、例えば図５において、左のダイヤモンド工具Ｔ”をＺ軸方向（切り込み方向）に移動させ、金型Ｍの光学転写面を切り込むことで溝の左側面を加工した後、Ｘ軸方向に移動することに相当する。
【手続補正２２】
【補正対象書類名】明細書
【補正対象項目名】００３０
【補正方法】変更
【補正の内容】
【００３０】
参考例１０の加工方法は、ダイヤモンドからなる切れ刃のすくい面に縁部を形成したダイヤモンド工具を用いて、ワークを加工する加工方法であって、
前記金型を回転させるステップと、回転する前記金型の光学転写面に対して前記縁部を接触させながら、前記ダイヤモンド工具を前記金型の回転軸に平行な方向に移動させるステップと、前記ダイヤモンド工具を、第１の姿勢と、前記第１の姿勢とは異なる第２の姿勢のいずれかに設定するステップと、を有し、前記第１の姿勢に維持された前記ダイヤモンド工具の縁部によって加工する際の前記金型の回転方向は、前記第２の姿勢に維持された前記ダイヤモンド工具の縁部によって加工する際の前記金型の回転方向と逆であることを特徴とする。
【手続補正２３】
【補正対象書類名】明細書
【補正対象項目名】００３１
【補正方法】変更
【補正の内容】
【００３１】
参考例１０について、金型をワークの例にとり説明する。図６は、本参考例の加工方向に用いると好適なダイヤモンド工具Ｔ”の先端を金型Ｍの断面と共に示した図である。本発明の加工方向においては、単一のダイヤモンド工具Ｔ”を用いるが、かかるダイヤモンド工具Ｔ”は、軸Ｑ（例えば光軸に平行であって良いが、それに限られない）回りに回転可能に取り付けられている。図５においては、左に示すダイヤモンド工具Ｔ”はすくい面Ｔ５”を紙面上方に向けている（第１の姿勢）が、右に示すダイヤモンド工具Ｔ”はすくい面Ｔ５”を紙面下方に向けている（第２の姿勢）。
【手続補正２４】
【補正対象書類名】明細書
【補正対象項目名】００３２
【補正方法】変更
【補正の内容】
【００３２】
参考例１０によれば、金型Ｍの光学転写面における光学素子の段差に対応する部位において、光軸（図６の右方において上下方向に延在するが不図示）を向いた左側面（内周面）は、金型Ｍを正回転させながら、第１の姿勢にされたダイヤモンド工具Ｔ”（図で左側）の縁部によって加工される。一方、左側面に対向する右側面（外周面）は、金型Ｍを逆回転させながら、第２の姿勢にされたダイヤモンド工具Ｔ”（図で右側）の同じ縁部によって加工される。それにより、単一のダイヤモンド工具を姿勢を変えることなく用いた場合に、使用しない縁部が他の側面と干渉することが抑制され、しかも側面と底面の角のダレを抑えながら、金型Ｍの深溝の左側面と右側面を精度良く加工することができる。又、ダイヤモンド工具Ｔ”を製造する場合に、一つの縁部のみを精度良く形成すればよく、工具の低コスト化が図れる。尚、溝の底面については、図で第１の姿勢にしたダイヤモンド工具Ｔ”をＸ軸方向に移動することで、中央まで切削加工し、ついで第２の姿勢にしたダイヤモンド工具Ｔ”を、その位置からＸ軸方向に移動することで加工を行うことができる。
【手続補正２５】
【補正対象書類名】明細書
【補正対象項目名】００３３
【補正方法】変更
【補正の内容】
【００３３】
参考例１１の加工方法は、ダイヤモンドからなる切れ刃のすくい面に縁部を形成した第１のダイヤモンド工具と第２のダイヤモンド工具とを用いて、ワークを加工する加工方法であって、
前記金型を回転させるステップと、回転する前記金型の光学転写面に対して前記縁部を接触させながら、前記ダイヤモンド工具を前記金型の回転軸に平行な方向に移動させるステップと、を有し、前記第１のダイヤモンド工具の縁部によって加工する際の前記金型の回転方向は、前記第２のダイヤモンド工具の縁部によって加工する際の前記金型の回転方向と逆であることを特徴とする。
【手続補正２６】
【補正対象書類名】明細書
【補正対象項目名】００３４
【補正方法】変更
【補正の内容】
【００３４】
参考例１１について、金型をワークの例にとり図６を参照して説明する。本参考例の加工方法においては、上述の参考例に類似するが、２本のダイヤモンド工具Ｔ”を用いている。本発明によれば、金型Ｍの光学転写面における光学素子の段差に対応する部位において、光軸（図６の右方において上下方向に延在するが不図示）を向いた左側面（内周面）は、金型Ｍを正回転させながら、第１のダイヤモンド工具Ｔ”（図で左側）の縁部によって加工される。一方、左側面に対向する右側面（外周面）は、金型Ｍを逆回転させながら、第２のダイヤモンド工具Ｔ”（図で右側）の縁部によって加工される。それにより、単一のダイヤモンド工具を姿勢を変えることなく用いた場合に、使用しない縁部が他の側面と干渉することが抑制され、しかも側面と底面の角のダレを抑えながら、金型Ｍの深溝の左側面と右側面を精度良く加工することができる。尚、溝の底面については、図で第１の姿勢にしたダイヤモンド工具Ｔ”をＸ軸方向に移動することで、中央まで切削加工し、ついで第２の姿勢にしたダイヤモンド工具Ｔ”を、その位置からＸ軸方向に移動することで加工を行うことができる。
【手続補正２７】
【補正対象書類名】明細書
【補正対象項目名】００３５
【補正方法】変更
【補正の内容】
【００３５】
参考例１２の加工方法は、ダイヤモンドからなる切れ刃のすくい面に縁部を形成したダイヤモンド工具を用いて、少なくとも一方の光学機能面が光軸を中心とした複数の光学機能領域に分割され、該複数の光学機能領域のうちの少なくとも１つが、光軸を中心とした輪帯状の領域に分割され、かつ各輪帯に所定数の不連続な段差が設けられるとともに、当該不連続な段差が設けられた輪帯が連続的に配された構造である回折構造を有する光学素子を成形するための金型の光学転写面を加工する加工方法であって、
前記金型を回転させるステップと、回転する前記金型の光学転写面に対して前記縁部を接触させながら、前記ダイヤモンド工具を前記金型の回転軸に平行な方向に移動させるステップと、前記ダイヤモンド工具を、第１の姿勢と、前記第１の姿勢とは異なる第２の姿勢のいずれかに設定するステップと、を有し、前記金型の光学転写面における前記光学素子の段差に対応する部位において、光軸を向いた内周面は、前記第１の姿勢に維持された前記ダイヤモンド工具の縁部によって加工され、前記内周面に対向する外周面は、前記第２の姿勢に維持された前記ダイヤモンド工具の縁部によって加工されることを特徴とする。本発明の作用効果は、参考例１１に記載の発明と同様である。
【手続補正２８】
【補正対象書類名】明細書
【補正対象項目名】００３６
【補正方法】変更
【補正の内容】
【００３６】
参考例１３の加工方法は、参考例１２の加工方法において、前記第１の姿勢に維持された前記ダイヤモンド工具の縁部によって加工する際の前記金型の回転方向は、前記第２の姿勢に維持された前記ダイヤモンド工具の縁部によって加工する際の前記金型の回転方向と逆であることを特徴とする。
【手続補正２９】
【補正対象書類名】明細書
【補正対象項目名】００３７
【補正方法】変更
【補正の内容】
【００３７】
請求項５に記載の加工方法は、請求項１乃至４のいずれかに記載の発明において、前記ワークの加工面もしくは前記金型の光学転写面にニッケル・隣・銅メッキを施していることを特徴とする。特に、ニッケル・隣・銅メッキは被切削性に優れるため、長い工具寿命を確保できるからである。尚、光学転写面に、ニッケル・隣メッキを用いても良く、銅、アルミ、金属ガラス等のコーティングを行っても類似の効果が得られる。
【手続補正３０】
【補正対象書類名】明細書
【補正対象項目名】００４０
【補正方法】変更
【補正の内容】
【００４０】
【図１】参考例１，２にかかる加工方法に用いると好適なダイヤモンド工具Ｔの先端のすくい面側から見た図（ａ）及びその側面図（ｂ）である。
【図２】図１のダイヤモンド工具を用いて加工された後の金型Ｍの斜視図（ａ）及びその光学転写面の概略拡大断面図（ｂ）である。
【図３】参考例６の加工方向に用いると好適なダイヤモンド工具Ｔ’の先端を金型Ｍの断面と共に示した図である。
【図４】本発明の加工方向に用いると好適なダイヤモンド工具Ｔ”の先端を金型Ｍの断面と共に示した図である。
【図５】参考例８の加工方向に用いると好適な２本のダイヤモンド工具Ｔ”の先端を金型Ｍの断面と共に示した図である。
【図６】参考例１０の加工方向に用いると好適なダイヤモンド工具Ｔ”の先端を金型Ｍの断面と共に示した図である。
【図７】参考例１〜７にかかる加工方法を実行するのに好適な実施の形態である２軸超精密加工機１０の斜視図である。
【図８】ダイヤモンド工具の斜視図である。
【図９】本発明にかかる加工方法を実行するのに好適な実施の形態である３軸超精密加工機２０の斜視図である。
【図１０】参考例８、９，１１にかかる加工方法を実行するのに好適な実施の形態である２軸超精密加工機３０の斜視図である。
【手続補正３１】
【補正対象書類名】明細書
【補正対象項目名】００４１
【補正方法】変更
【補正の内容】
【００４１】
以下、図面を参照して本発明の実施の形態について説明する。図７は、参考例１〜７に記載の発明にかかる加工方法を実行するのに好適な実施の形態である２軸超精密加工機１０の斜視図であり、図８は、ダイヤモンド工具の斜視図である。図７に示す２軸超精密加工機１０において、不図示の制御装置によってＸ軸方向に駆動されるＸ軸テーブル２が、台座１上に配置されている。Ｘ軸テーブル２上には、ダイヤモンド工具Ｔが取り付けられている。又、不図示の制御装置によってＺ軸方向に駆動されるＺ軸テーブル４が、台座１上に配置されている。Ｚ軸テーブル４上には、不図示の制御装置によって回転駆動される主軸（回転軸）５が取り付けられている。主軸５は、加工すべき転写光学面を有する光学素子成形用の金型（図２（ａ）参照）を取り付け可能となっている。ダイヤモンド工具Ｔは、その先端にダイヤモンドチップＴｃを取り付けており、その形状は図１に示すものと同様である。
【手続補正３２】
【補正対象書類名】明細書
【補正対象項目名】００４３
【補正方法】変更
【補正の内容】
【００４３】
図９は、請求項１〜５に記載の発明にかかる加工方法を実行するのに好適な実施の形態である３軸超精密加工機２０の斜視図である。本実施の形態にかかる３軸超精密加工機２０は、図７に示す２軸超精密加工機１０に対して、Ｘ軸テーブル２上に、不図示の制御装置によってθ軸回りに回転駆動される回転テーブル６が形成されている。その他の構成に関しては、基本的に図７に示す実施の形態と同様であるので、同じ符号を付すことで説明を省略する。
【手続補正３３】
【補正対象書類名】明細書
【補正対象項目名】００４５
【補正方法】変更
【補正の内容】
【００４５】
図１０は、参考例８，９、１１に記載の加工方法を実行するのに好適な実施の形態である２軸超精密加工機３０の斜視図である。本実施の形態にかかる２軸超精密加工機３０は、図７に示す２軸超精密加工機１０に対して、Ｘ軸テーブル２上に、２本のダイヤモンド工具Ｔ”を並行して取り付けている。その他の構成に関しては、基本的に図７に示す実施の形態と同様であるので、同じ符号を付すことで説明を省略する。
【手続補正３４】
【補正対象書類名】明細書
【補正対象項目名】００４７
【補正方法】変更
【補正の内容】
【００４７】
参考例１０，１２，１３に示す加工方法の場合、ダイヤモンド工具の姿勢を変えることがあるが、これはダイヤモンド工具を作業者が付け替えることで行える。それ以外にも、Ｘ軸テーブル上に、工具を例えば１８０度反転させ反転装置を設けて、それにダイヤモンド工具を取り付けることで、その姿勢を容易に変更することもできる。主軸５は、モータに与える電力の極性を反転させることで逆転駆動させることができる。